(57)【要約】【課題】  摺洗具本体に対して植毛部材を取り付けやすい摺洗具を提供する。【解決手段】  摺洗具本体１の一面の複数箇所に、前記一面から少なくとも毛先の先端が突出し被摺洗物を摺洗する植毛部材３、３・・・が散在されている。摺洗具本体１は、スポンジ等の可撓性を有する材料から形成されると共に、摺洗具本体１を厚さ方向に貫通する複数個の貫通孔２、２・・・を有している。植毛部材１の台座５が前記貫通孔２の一方の開口を覆う一方、台座５に嵌め合わされる止着部材１１が前記貫通孔２の他方の開口を覆ってかつ摺洗具本体１を圧縮した状態で台座５に結合されることにより、植毛部材３が摺洗具本体１に取り付けられている。【選択図】  図３
2012143440.tif 000002
【特許請求の範囲】
【請求項１】
摺洗具本体の一面の複数箇所に、前記一面から少なくとも毛先の先端が突出し被摺洗物を摺洗する植毛部材が散在されてなり、
前記植毛部材の台座と、前記摺洗具本体の前記一面の裏面側に配置された止着部材とが、摺洗具本体を貫通して結合することにより、前記植毛部材が摺洗具本体に取り付けられてなることを特徴とする摺洗具。
【請求項２】
前記摺洗具本体が、可撓性を有する材料から形成されている請求項１に記載の摺洗具。
【請求項３】
前記摺洗具本体が、摺洗具本体を厚さ方向に貫通する複数個の貫通孔を有し、
前記台座が前記貫通孔の一方の開口を覆う一方、前記止着部材が前記貫通孔の他方の開口を覆ってかつ摺洗具本体を圧縮した状態で前記台座と前記止着部材とが結合されている請求項１又は２に記載の摺洗具。
【請求項４】
前記台座又は前記止着部材のいずれか一方が雌部を有する一方、他方が雄部を有し、該雌部と雄部との結合関係により前記台座と前記止着部材とが結合されている請求項１ないし３のいずれかに記載の摺洗具。
【発明の詳細な説明】
【技術分野】
【０００１】
本発明は、食器や鍋等の台所用品あるいは身体や頭皮を洗う際に用いられる摺洗具に関する。
【背景技術】
【０００２】
従来、スポンジと植毛部材とを組み合わせて、植毛部材の摺洗力とスポンジの摺洗力あるいは及び水含み能力とを活かせるようにした摺洗具として、台座に縦横に規則的に配列された多数の毛束を有する植毛部材と、前記毛束に対応する多数個の貫通孔を有するスポンジ等からなる摺洗具本体とが組み合わされてなる摺洗具が公知である（特許文献１、２参照）。
【先行技術文献】
【特許文献】
【０００３】
【特許文献１】実用新案登録第２５２８３５４号公報
【特許文献２】特開２００８−２７９０２１号公報
【発明の概要】
【発明が解決しようとする課題】
【０００４】
このような従来の摺洗具は、その植毛部材の摺洗力と摺洗具本体の摺洗力との使い分けが行いやすいという利点を有しているが、毛束が摺洗具本体の貫通孔の一つ一つに存在するように製作することが困難であるという難点がある。
【０００５】
例えば、予め台座に複数の毛束を植毛した植毛部材と、貫通孔を備えた摺洗具本体とを相対的に嵌め合わせるようにした場合は、植毛部材と摺洗具本体とが少しでも位置がずれると、嵌め合わせ不可能となる。
【０００６】
本発明は、このような技術的背景に鑑みてなされたもので、その目的は植毛部材と摺洗具本体に植毛部材を取り付けやすい摺洗具を提供することにある。
【課題を解決するための手段】
【０００７】
前記目的を達成するために、本発明の摺洗具は、下記［１］〜［４］の構成を有する。
【０００８】
なお、以下に用いられる「植毛部材」は、必ずしも台座に獣毛あるいは合成樹脂製毛が植設されたもののみではなく、弾性合成樹脂やゴムからなり頭皮のマッサージに好適な突起状のものや、あるいは鍋やフライパンにこびり付いたものを掻き落とすヘラ状のものも含むものとする。
【０００９】
［１］  摺洗具本体の一面の複数箇所に、前記一面から少なくとも毛先の先端が突出し被摺洗物を摺洗する植毛部材が散在されてなり、
前記植毛部材の台座と、前記摺洗具本体の前記一面の裏面側に配置された止着部材とが、摺洗具本体を貫通して結合することにより、前記植毛部材が摺洗具本体に取り付けられてなることを特徴とする摺洗具。
【００１０】
［２］  前記摺洗具本体が、可撓性を有する材料から形成されている前項１に記載の摺洗具。
【００１１】
［３］  前記摺洗具本体が、摺洗具本体を厚さ方向に貫通する複数個の貫通孔を有し、  前記台座が前記貫通孔の一方の開口を覆う一方、前記止着部材が前記貫通孔の他方の開口を覆ってかつ摺洗具本体を圧縮した状態で前記台座と前記止着部材とが結合されている前項１又は２に記載の摺洗具。
【００１２】
［４］  前記台座又は前記止着部材のいずれか一方が雌部を有する一方、他方が雄部を有し、該雌部と雄部との結合関係により前記台座と前記止着部材とが結合されている前項１ないし３のいずれかに記載の摺洗具。
【発明の効果】
【００１３】
本発明は、以下の効果を奏する。
【００１４】
［１］の発明では、摺洗具本体の一面の複数箇所に、前記一面から少なくとも毛先の先端が突出し被摺洗物を摺洗する植毛部材が散在されているので、摺洗具本体の摺洗力が発揮されることはもとより、植毛部材の摺洗力も発揮される。
【００１５】
また、前記植毛部材の台座と、前記摺洗具本体の前記一面の裏面側に配置された止着部材とが、摺洗具本体を貫通して結合することにより、前記植毛部材が摺洗具本体に取り付けられているので、植毛部材の摺洗具本体に対する取付状態が強固に保持されることはもとより、前記取り付けの際には、台座と止着部材とが摺洗具本体を貫通するものであって、従来のように植毛部材の毛束を摺洗具本体の貫通孔に通さなくても良いので、取り付け操作も行いやすい。
【００１６】
［２］の発明では、前記摺洗具本体が、可撓性を有する材料から形成されているので、複数の植毛部材の位置関係を任意に変更して多様な摺洗形態を実現できる。例えば、植毛部材の先端が突出している面を内側にして摺洗具本体を長さ方向中間部から折り曲げることにより、被摺洗物の内外両面に植毛部材の先端を圧接させて一挙に摺洗することができる。
【００１７】
［３］の発明では、前記摺洗具本体が、摺洗具本体を厚さ方向に貫通する複数個の貫通孔を有し、前記台座が前記貫通孔の一方の開口を覆う一方、前記止着部材が前記貫通孔の他方の開口を覆って前記台座と前記止着部材とが結合されているので、台座と止着部材との位置決めが自動的に行われ、両者の結合操作もスムーズに行われる。
【００１８】
また、摺洗具本体を圧縮した状態で植毛部材が摺洗具本体に取り付けられているので、植毛部材の台座が摺洗具本体の非圧縮状態面部より内方に位置することになって、台座と被摺洗物との接触を軽減することができ、摺洗時に被摺洗物表面が台座によって傷つけられ難くなる。
【００１９】
［４］の発明では、前記台座又は前記止着部材のいずれか一方が雌部を有する一方、他方が雄部を有し、該雌部と雄部との結合関係により前記台座と前記止着部材とが結合されており、両者が径方向へ相対的にずれ動くことがないので、前記台座と前記止着部材との結合がより一層確実なものとなる。
【図面の簡単な説明】
【００２０】
【図１】（イ）は、本発明に係る摺洗具の第１実施形態の斜視図、（ロ）は同摺洗具を裏面から見た斜視図である。
【図２】（イ）は、図１（イ）のII−II線拡大断面図、（ロ）は図１（イ）のIII−III線拡大断面図である。
【図３】摺洗具本体に植毛部材を取り付ける前の一部を切り欠いて示す側面図である。
【図４】本発明に係る摺洗具の一実施形態の植毛部材と止着部材との分解状態の斜視図である。
【図５】同実施形態の使用状態を示す側面図である。
【図６】（イ）は、本発明に係る摺洗具の第２実施形態の断面図、（ロ）は下面側から見た同実施形態の平面図である。
【図７】（イ）は、植毛部材及び止着部材の他の実施形態を示す斜視図、（ロ）は、（イ）の植毛部材及び止着部材の分解状態の断面図である。
【発明を実施するための形態】
【００２１】
本発明に係る摺洗具の実施形態を、図面を参照しながら具体的に説明する。
【００２２】
図１〜図５は、本発明に係る摺洗具の第１実施形態を示すもので、摺洗具Ａは、片手で把持できる大きさに形成され、摺洗具本体１の一面の複数箇所に、前記一面から少なくとも毛先の先端が突出し被摺洗物を摺洗する植毛部材３が散在されている。
【００２３】
摺洗具本体１は、ポリウレタン、ポリエチレン等の可撓性を有する合成樹脂発泡体からなり、図３に示すように、摺洗具本体１を厚さ方向に貫通する複数個の貫通孔２を有している。
【００２４】
この貫通孔２の内径は、後述する植毛部材３の台座５の外径より径小に、止着部材本体１２の外径よりも径大に形成されている。
【００２５】
植毛部材３は、図２〜４に示すように、多数本の獣毛あるいは合成樹脂毛からなる毛束４と、この毛束４が植設された筒状の台座５と、台座５の上面を被覆するカバー６とを備えている。
【００２６】
このカバー６は、前記台座５が直接被摺洗物を擦って被摺洗物を傷つけないことを目的として設けられており、軟質のゴム、合成樹脂から形成されている。カバー６の周縁は摺洗具本体１の貫通孔２の径より径大に形成されている。
【００２７】
前記台座５の周面の１８０度対称位置の各々に、高さ方向に延びた左右一対の突条７、７と、この左右一対の突条７、７間に位置する突起８とが設けられている。
【００２８】
止着部材１１は、図２〜４に示すように、前記台座５が嵌め込まれる有底筒状の止着部材本体１２と、この止着部材１２の底部を被覆するカバー１６とを備えている。前記台座５と止着部材本体１２とは、雄部と雌部との嵌め合わせ関係になる。
【００２９】
前記カバー１６は、前記台座５のカバー６と同様に、止着部材本体１１が直接被摺洗物を擦って被摺洗物を傷つけないことを目的として設けられており、軟質のゴム、合成樹脂から形成されている。カバー１６の周縁は摺洗具本体１の貫通孔２の径より径大に形成されている。
【００３０】
止着部材本体１２の周面開口端部の１８０度対称位置の各々に、前記台座の突条７、７が嵌め合わされる左右一対の切欠部１７、１７と、この左右一対の切欠部１７、１７間に、前記台座５の突起８が嵌合される嵌合孔１８が設けられている。
【００３１】
止着部材１１のひとつは、図１（ロ）及び図２（ロ）に示すように、カバー１６と一体となった欠円型リング部１６ａが設けられて、摺洗時にこの欠円型リング部１６ａに指を通したり、不使用時には、この欠円型リング部１６ａをどこかに引っかけて摺洗具Aを吊り下げることができる。
【００３２】
而して、植毛部材３は、次のようにして摺洗具本体１に取り付けられる。
【００３３】
先ず、図３に示すように、摺洗具本体１の貫通孔２の一方の開口を覆うように植毛部材３の台座５を貫通孔２に挿入する一方、前記貫通孔２の他方の開口を覆うように、止着部材本体１１の止着部材本体１２を貫通孔２に挿入する。
【００３４】
そして、摺洗具本体１を貫通孔２の両側から圧縮させながら、植毛部材３の台座５を止着部材本体１２内に嵌め入れると、左右一対の突条７、７が対応する切欠部１７、１７に嵌り込むと共に、突起８が対応する嵌合孔１８内に嵌り込むことによって、植毛部材３と止着部材１１とが強固に結合され、植毛部材３が摺洗具本体に強固に取り付けられる。
【００３５】
前述のとおり、台座５と止着部材本体１２とは、雄部とこの雄部が嵌め合わされる雌部との関係になって、両者が径方向へ相対的にずれ動くことがないので、その結合がより一層確実なものとなる。
【００３６】
また、摺洗具本体１を圧縮した状態で植毛部材３が摺洗具本体１に取り付けられているので、植毛部材３の台座５が摺洗具本体１の非圧縮状態面部１ａより下方に位置することになり、摺洗時に被摺洗物表面が台座５よって傷つけられることがない。
【００３７】
このようにして植毛部材３が摺洗具本体１に取り付けられた摺洗具Ａは、頑固な汚れが付着した被摺洗物に対しては、植毛部材３の毛束４を用いて摺察し、汚れがそれほど頑固でない被摺洗物に対しては摺洗具本体の周面を用いて摺察するという使い分けを行うことができる。
【００３８】
また、この摺洗具Ａは、摺洗具本体１が可撓性を有しているので、複数の植毛部材の位置関係を任意に変更して多様な摺洗形態を実現できる。例えば、図５に示すように、二つ折りにした摺洗具Ａの間に被摺洗物Ｐを挟み込むようにして、毛束４の先端を被摺洗物Ｐの内外面あるいは表裏面に同時に当接させ、一挙に摺洗することもできる。
【００３９】
図６は、この発明に係る摺洗具の第２実施形態を示すもので、この実施形態の摺洗具Ｂは、柄２５と一体成形された摺洗具本体支持プレート２２に摺洗具本体２１が取付けられてなる柄付き摺洗具である。
【００４０】
この摺洗具Ｂの摺洗具本体２１に散在されている植毛部材３及び植毛部材３に結合する止着部材１１は、第１実施形態の摺洗具Ａの植毛部材３及び止着部材１１よりやや大型ではあるが相似形のものが用いられているので、以下においては同一符号を用いて説明し、詳細な説明は省略する。
【００４１】
前記摺洗具本体支持プレート２２には、図６（イ）に示すように、摺洗具本体２１の貫通孔２１ａとの対応位置に、止着部材本体１２が挿通する貫通孔２２ａが設けられている。この貫通孔２２ａの径は、止着部材１１のカバー１６の周縁の外径より径小に形成されている。
【００４２】
また、摺洗具本体の貫通孔２１ａの径は、植毛部材３の台座５のカバー６の周縁の径より径小に形成されている。
【００４３】
而して、この摺洗具Ｂの植毛部材３は、次にようにして摺洗具本体２１に取り付けられる。
【００４４】
先ず、前記摺洗具本体支持プレート２２と摺洗具本体２１とを互いの貫通孔２２ａ、２１ａを合わせるようにして重ね合わせた状態において、摺洗具本体支持プレート２２の上面から止着部材１１の止着部材本体１２を摺洗具本体支持プレート２２の貫通孔２２ａを貫通させ、摺洗具本体２１の貫通孔２１ａに挿入する。
【００４５】
その後、摺洗具本体２１の下方から植毛部材３の筒状の台座５を摺洗部本体２１の貫通孔２１ａに挿入し、摺洗具本体２１を圧縮しながら、台座５を止着部本体１２内に嵌め入れる。
【００４６】
すると、第１実施形態の図２〜４に示すように、左右一対の突条７、７が対応する切欠部１７、１７に嵌り込むと共に、突起８が対応する嵌合孔１８内に嵌り込むことによって、植毛部材３と止着部材１１とが強固に結合される。
【００４７】
図６に示すようにこの結合状態は、摺洗具本体支持プレート２２に摺洗具本体１が取り付けられた状態でもあるので、摺洗具本体支持プレート２２に摺洗具本体１を取り付ける手間や別部材あるいは接着剤等を必要とすることなく、摺洗具本体１だいを摺洗具本体支持プレート２２に取り付けることができる。
【００４８】
この第２実施形態の摺洗具Ｂは、第１実施形態の摺洗具Ａのように摺洗具本体２１を折り曲げて使用することはできないが、それ以外は第１実施形態の摺洗具Ａと同様の効果を奏するものである。
【００４９】
図７は、他の実施形態の植毛部材３３及び止着部材４１を示すものである。
【００５０】
この実施形態の植毛部材３３は、第１実施形態の植毛部材３の獣毛あるいは合成樹脂製毛からなる毛束４の代わりに、台座３５に弾性合成樹脂あるいはゴムからなるタワー状突起物３４が立設されたもので、その上端にはさらに小さな左右一対の先端突起３４ａが立設されている。タワー状突起物３４は、台座３５のカバー３６と一体的に形成されている。この植毛部材３３は、頭皮のマッサージに好適である。
【００５１】
台座３５は、その周面に雄ねじ部３５ａが設けられており、後述する４１の雌ねじ部４１ａにねじ合わされるものとなされている。
【００５２】
この植毛部材３３の摺洗具本体への取り付け方は、第１実施形態の摺洗具Ａにおける嵌合の代わりに、雌雄のねじ部によりねじ合わせが行われるというものであるので、詳細な説明は省略する。
【００５３】
上記実施形態において、台座と止着部材とはいずれか一方が雌部を有する一方、他方が雄部を有しているものであるが、この雌雄部の形状は上記実施形態に限定されるものではない。
【００５４】
また、植毛部材は、摺洗具本体の一面に散在され、前記一面から少なくとも毛先の先端が突出しているものであるが、「摺洗具本体の一面」とは、常に同じ高さ位置にある面という意味ではなく、その一面の一部であって、植毛部材が摺洗具本体を圧縮するような態様で摺洗具本体に取り付けられることにより形成された凹部の底面も含むものとする。
【００５５】
従って、このような凹部に植毛部材が取り付けられた場合、非使用状態においては、植毛部材の毛先の先端がまだ凹部内にあって、摺洗具本体の他の圧縮されていない部位よりも低位置あるいは同高位置に止まっているような摺洗具もあり得るが、そのような摺洗具も本願発明に属するものである。
【００５６】
摺洗具本体は、ポリウレタン、ポリエチレンに限定されるものではなく、スポンジや、ポリスチレン、ポリアクリル、塩化ビニル、塩化ビニリデン、ポリアミド等の軟質の合成樹脂発泡体が採用されうる。
【００５７】
また、不織布やネット地が採用されることもある。
【符号の説明】
【００５８】
Ａ：第1実施形態の摺洗具
Ｂ：第２実施形態の摺洗具
１：摺洗具本体
２：貫通孔
３：植毛部材
１１：止着部材
【図１】
2012143440.tif 000003
【図２】
2012143440.tif 000004
【図３】
2012143440.tif 000005
【図４】
2012143440.tif 000006
【図５】
2012143440.tif 000007
【図６】
2012143440.tif 000008
【図７】
2012143440.tif 000009